(57)【要約】【課題】分割された上部タンクを清浄な状態を維持して輸送組立する。【解決手段】分割面に繋がっている天井部の内壁部に、分割されていない側壁部に対向する第１輸送カバーを取付ける工程（Ｓ１１０）と、側壁部の下面に、天井部に対向する第２輸送カバーを取付ける工程（Ｓ１２０）とを備える。また、第１上部タンクおよび第２上部タンクの各々を、閉空間を密封した状態で輸送する工程（Ｓ１３０）と、上記輸送する工程の後、第１上部タンクの分割面と第２上部タンクの分割面とを密着させた状態で第１上部タンクと第２上部タンクとを接合する工程（Ｓ１５０）とを備える。さらに、上記接合する工程の後、互いに接合された第１上部タンクおよび第２上部タンクをクリーンルーム内に搬送する工程（Ｓ１６０）と、クリーンルーム内において、第１輸送カバーおよび第２輸送カバーを取り外す工程（Ｓ１７０）とを備える。【選択図】図８
2012104777.tif 000002
【特許請求の範囲】
【請求項１】
変圧器本体およびタンクを分割して輸送組立する分割輸送変圧器において、天井部および該天井部と繋がった４つの側壁部を有し、かつ、前記４つの側壁部のうちの互いに対向する２つの側壁部および前記天井部において連続する分割面により第１上部タンクと第２上部タンクとに分割されて輸送される上部タンクの輸送組立方法であって、
前記第１上部タンクおよび前記第２上部タンクの各々において、前記分割面に繋がっている前記天井部の内壁部に、分割されていない前記側壁部に対向する第１輸送カバーを取付ける工程と、
前記第１上部タンクおよび前記第２上部タンクの各々において、前記側壁部の下面に、前記天井部に対向する第２輸送カバーを取付ける工程と、
前記第１上部タンクおよび前記第２上部タンクの各々を、前記天井部、前記側壁部、前記第１輸送カバーおよび前記第２輸送カバーによって形成された閉空間を密封した状態で輸送する工程と、
前記輸送する工程の後、前記第１上部タンクの前記分割面と前記第２上部タンクの前記分割面とを密着させた状態で前記第１上部タンクと前記第２上部タンクとを接合する工程と、
前記接合する工程の後、互いに接合された前記第１上部タンクおよび前記第２上部タンクをクリーンルーム内に搬送する工程と、
前記クリーンルーム内において、前記第１上部タンクおよび前記第２上部タンクの各々から、前記第１輸送カバーおよび前記第２輸送カバーを取り外す工程と
を備える、分割輸送変圧器における上部タンクの輸送組立方法。
【請求項２】
前記輸送する工程の前に、前記第１上部タンクおよび前記第２上部タンクの各々において、前記分割面を覆うように防塵カバーを配置する工程をさらに備え、
前記第１上部タンクと前記第２上部タンクとを接合する前記工程において、前記防塵カバーを取り外した後、前記第１上部タンクの前記分割面と前記第２上部タンクの前記分割面とを密着させる、請求項１に記載の分割輸送変圧器における上部タンクの輸送組立方法。
【請求項３】
前記第１輸送カバーを取付ける前記工程において、前記第１輸送カバーの前記分割されていない側壁部に対向する面とは反対側の面が、前記分割面と略同一平面上となるように前記第１輸送カバーを取付ける、請求項１または２に記載の分割輸送変圧器における上部タンクの輸送組立方法。
【請求項４】
前記第１上部タンクおよび前記第２上部タンクの各々は、前記第１輸送カバーを取付けるための袋状の第１雌ねじ部および前記第２輸送カバーを取付けるための袋状の第２雌ねじ部を有し、
前記第１輸送カバーおよび前記第２輸送カバーの各々は、前記第１上部タンクまたは前記第２上部タンクに取付けるための貫通孔を有し、
前記第１輸送カバーを取付ける前記工程において、雄ねじを前記第１輸送カバーの前記貫通孔を通して前記第１上部タンクおよび前記第２上部タンクのそれぞれの前記第１雌ねじ部に締結することにより、前記第１輸送カバーを前記第１上部タンクおよび前記第２上部タンクのそれぞれに取付け、
前記第２輸送カバーを取付ける前記工程において、他の雄ねじを前記第２輸送カバーの前記貫通孔を通して前記第１上部タンクおよび前記第２上部タンクのそれぞれの前記第２雌ねじ部に締結することにより、前記第２輸送カバーを前記第１上部タンクおよび前記第２上部タンクのそれぞれに取付ける、請求項１から３のいずれかに記載の分割輸送変圧器における上部タンクの輸送組立方法。
【請求項５】
前記第１上部タンクと前記第２上部タンクとを接合する前記工程において、溶接により前記第１上部タンクと前記第２上部タンクとを接合する、請求項１から４のいずれかに記載の分割輸送変圧器における上部タンクの輸送組立方法。
【請求項６】
請求項１から５のいずれかに記載の分割輸送変圧器における上部タンクの輸送組立方法により組立られた上部タンクを備える、分割輸送変圧器。
【発明の詳細な説明】
【技術分野】
【０００１】
本発明は、分割輸送変圧器における上部タンクの輸送組立方法および分割輸送変圧器に関する。
【背景技術】
【０００２】
大型の変圧器を分割して輸送し、据付場所で組立る分割輸送変圧器を開示した先行文献として特許文献１がある。
【０００３】
特許文献１に記載された分割輸送変圧器においては、輸送ルートの制限寸法および制限重量以下になるように、工場で組立られた変圧器を分割して輸送する。上部タンクは、相毎に分割されることにより輸送単位の寸法が小さくなるように輸送された後、据付場所にて接合されて組立られる。
【先行技術文献】
【特許文献】
【０００４】
【特許文献１】特開平１０−２２３４４１号公報
【発明の概要】
【発明が解決しようとする課題】
【０００５】
変圧器において、上部タンクの内側には、リードおよび冷却油などが封入される。そのため、上部タンクは、上部タンクの内側が清浄な状態で、中部タンクおよび下部タンクと接合されて変圧器として組立られる必要がある。
【０００６】
変圧器を組立る際には、変圧器の内部に異物が浸入しないようにするために、変圧器の据え付け場所の近くにクリーンルームを設置して、そのクリーンルーム内において変圧器を組立る。
【０００７】
分割された上部タンクを接合するためには一般に溶接が用いられるが、溶接する際に金属の異物が発生するため、クリーンルーム内において溶接工程を行なうことはできない。そのため、分割された上部タンクの接合は、クリーンルーム外において行なわれる。
【０００８】
分割された上部タンクの接合をする際、クリーンルーム外において上部タンクの内側が外気に開放されている場合、上部タンクの内側に塵または埃などの異物が付着して清浄度が低下する。
【０００９】
本発明は上記の問題点に鑑みてなされたものであって、分割された上部タンクを清浄な状態を維持して輸送組立することができる、分割輸送変圧器における上部タンクの輸送組立方法および分割輸送変圧器を提供することを目的とする。
【課題を解決するための手段】
【００１０】
本発明に基づく分割輸送変圧器における上部タンクの輸送組立方法は、変圧器本体およびタンクを分割して輸送組立する分割輸送変圧器において、天井部およびこの天井部と繋がった４つの側壁部を有し、かつ、４つの側壁部のうちの互いに対向する２つの側壁部および天井部において連続する分割面により第１上部タンクと第２上部タンクとに分割されて輸送される上部タンクの輸送組立方法である。分割輸送変圧器における上部タンクの輸送組立方法は、第１上部タンクおよび第２上部タンクの各々において、分割面に繋がっている天井部の内壁部に、分割されていない側壁部に対向する第１輸送カバーを取付ける工程と、第１上部タンクおよび第２上部タンクの各々において、側壁部の下面に、天井部に対向する第２輸送カバーを取付ける工程とを備える。また、分割輸送変圧器における上部タンクの輸送組立方法は、第１上部タンクおよび第２上部タンクの各々を、天井部、側壁部、第１輸送カバーおよび第２輸送カバーによって形成された閉空間を密封した状態で輸送する工程と、上記輸送する工程の後、第１上部タンクの分割面と第２上部タンクの分割面とを密着させた状態で第１上部タンクと第２上部タンクとを接合する工程とを備える。さらに、分割輸送変圧器における上部タンクの輸送組立方法は、上記接合する工程の後、互いに接合された第１上部タンクおよび第２上部タンクをクリーンルーム内に搬送する工程と、クリーンルーム内において、第１上部タンクおよび第２上部タンクの各々から、第１輸送カバーおよび第２輸送カバーを取り外す工程とを備える。
【発明の効果】
【００１１】
本発明によれば、分割された上部タンクを清浄な状態を維持して輸送組立することができる。
【図面の簡単な説明】
【００１２】
【図１】本発明の実施形態１に係る分割輸送変圧器の外観を示す斜視図である。
【図２】同実施形態に係る上部タンクの外観を示す斜視図である。
【図３】同実施形態に係る中部タンクの外観を示す斜視図である。
【図４】同実施形態に係る下部タンクの外観を示す斜視図である。
【図５】同実施形態に係るＭＲタンクの外観を示す斜視図である。
【図６】同実施形態に係るタンクを組立る状態を示す斜視図である。
【図７】同実施形態に係る上部タンクの分割された状態を図２のＶＩＩ−ＶＩＩ線矢印方向から見た断面図である。
【図８】同実施形態に係る、分割輸送変圧器における上部タンクの輸送組立方法を示すフロー図である。
【図９】同実施形態において、第１上部タンクおよび第２上部タンクに防塵カバーを配置した状態を示す断面図である。
【図１０】同実施形態において、第１上部タンクおよび第２上部タンクに第１輸送カバーを取付けた状態を示す断面図である。
【図１１】同実施形態において、第１上部タンクおよび第２上部タンクに第２輸送カバーを取付けた状態を示す断面図である。
【図１２】同実施形態において、第１上部タンクと第２上部タンクとを接合した状態を示す断面図である。
【図１３】同実施形態において、クリーンルーム内で第１上部タンクおよび第２上部タンクから第１輸送カバーおよび第２輸送カバーを取り外した状態を示す断面図である。
【図１４】本発明の実施形態２に係る上部タンクの分割された状態を図２のＸＩＶ−ＸＩＶ線矢印方向から見た断面図である。
【図１５】同実施形態において、第１上部タンクおよび第２上部タンクに防塵カバーを配置した状態を示す断面図である。
【図１６】同実施形態において、第１上部タンクおよび第２上部タンクに第１輸送カバーを取付けた状態を示す断面図である。
【図１７】同実施形態において、第１上部タンクおよび第２上部タンクに第２輸送カバーを取付けた状態を示す断面図である。
【図１８】同実施形態において、第１上部タンクと第２上部タンクとを接合した状態を示す断面図である。
【図１９】同実施形態において、クリーンルーム内で第１上部タンクおよび第２上部タンクから第１輸送カバーおよび第２輸送カバーを取り外した状態を示す断面図である。
【発明を実施するための形態】
【００１３】
以下、本発明の実施形態１に係る、分割輸送変圧器における上部タンクの輸送組立方法および分割輸送変圧器について図面を参照して説明する。以下の実施形態の説明においては、図中の同一または相当部分には同一符号を付して、その説明は繰り返さない。
（実施形態１）
図１は、本発明の実施形態１に係る分割輸送変圧器の外観を示す斜視図である。図２は、本実施形態に係る上部タンクの外観を示す斜視図である。図３は、本実施形態に係る中部タンクの外観を示す斜視図である。図４は、本実施形態に係る下部タンクの外観を示す斜視図である。図５は、本実施形態に係るＭＲタンクの外観を示す斜視図である。図６は、本実施形態に係るタンクを組立る状態を示す斜視図である。
【００１４】
図１から５に示すように、分割輸送変圧器１００は、タンクを構成する構造部品である、上部タンク１１０、中部タンク１２０、下部タンク１３０およびＭＲタンク１４０を備えている。タンクの内部には、コイルおよび鉄心などの変圧器本体が収容され、絶縁油が充填されている。
【００１５】
図２に示すように、上部タンク１１０はタンクの蓋部となる。上部タンク１１０は、天井部１１１および天井部１１１と繋がった４つの側壁部１１２〜１１５を有している。側壁部１１２と側壁部１１３とは互いに対向し、側壁部１１４と側壁部１１５とは互いに対向している。
【００１６】
上部タンク１１０は、２つの側壁部１１２，１１３および天井部１１１において連続する分割面２１０，３１０により分割された第１上部タンク２００と第２上部タンク３００とが接合されて組立られている。上部タンク１１０には、絶縁油の流路となる複数の開口部が設けられている。
【００１７】
図３に示すように、中部タンク１２０は上下に貫通した開口部を有している。図４に示すように、下部タンク１３０はタンクの底部となる。図５に示すように、ＭＲタンク１４０は、上部タンクの側面に組み付けられ、内部に負荷時タップ切換器が収容されている。
【００１８】
図６に示すように、下部タンク１３０の上に中部タンク１２０が配置され、中部タンク１２０の上に上部タンク１１０が配置され、上部タンク１１０の側面にＭＲタンク１４０が取付けられることによりタンクが組立られる。
【００１９】
ここで、本実施形態に係る分解された上部タンク１１０の構造について説明する。
図７は、本実施形態に係る上部タンクの分割された状態を図２のＶＩＩ−ＶＩＩ線矢印方向から見た断面図である。図７に示すように、上部タンク１１０は、第１上部タンク２００と第２上部タンク３００とに分割された状態で輸送される。
【００２０】
第１上部タンク２００は、天井部１１１および側壁部１１２，１１３に連続した分割面２１０を有している。また、第１上部タンク２００は、分割面２１０に繋がっている天井部１１１の内壁部２２０に袋状の第１雌ねじ部２４０を有している。さらに、第１上部タンク２００は、側壁部１１４の下面２３０に第２雌ねじ部２５０を有している。
【００２１】
第２上部タンク３００は、天井部１１１および側壁部１１２，１１３に連続した分割面３１０を有している。また、第２上部タンク３００は、分割面３１０に繋がっている天井部１１１の内壁部３２０に袋状の第１雌ねじ部３４０を有している。さらに、第２上部タンク３００は、側壁部１１５の下面３３０に第２雌ねじ部３５０を有している。
【００２２】
以下、本実施形態に係る、分解された上部タンク１１０の輸送組立方法について説明する。
【００２３】
図８は、本実施形態に係る、分割輸送変圧器における上部タンクの輸送組立方法を示すフロー図である。図９は、本実施形態において、第１上部タンクおよび第２上部タンクに防塵カバーを配置した状態を示す断面図である。
【００２４】
図１０は、本実施形態において、第１上部タンクおよび第２上部タンクに第１輸送カバーを取付けた状態を示す断面図である。図１１は、本実施形態において、第１上部タンクおよび第２上部タンクに第２輸送カバーを取付けた状態を示す断面図である。
【００２５】
図１２は、本実施形態において、第１上部タンクと第２上部タンクとを接合した状態を示す断面図である。図１３は、本実施形態において、クリーンルーム内で第１上部タンクおよび第２上部タンクから第１輸送カバーおよび第２輸送カバーを取り外した状態を示す断面図である。
【００２６】
図８および図９に示すように、本実施形態に係る、分割輸送変圧器における上部タンクの輸送組立方法においては、まず、第１上部タンク２００の分割面２１０を覆うように防塵カバー４００を配置し、また、第２上部タンク３００の分割面３１０を覆うように防塵カバー４１０を配置する（Ｓ１００）。
【００２７】
分割面２１０と分割面３１０とは、後に、第１上部タンク２００と第２上部タンク３００とを接合する際に互いに密着する面である。そのため、分割面２１０および分割面３１０に異物が付着または錆が発生すると、接合された第１上部タンク２００と第２上部タンク３００との間に微小な隙間が生じて、タンク内部の冷却油の漏洩またはタンク内部への異物の混入などの原因となる。そのため、分割面２１０，３１０を防塵カバー４００，４１０により覆うことにより、分割面２１０，３１０を保護して清浄な状態で維持させる。
【００２８】
なお、防塵カバー４００，４１０は、分割面２１０，３１０に塵または埃などの異物が付着すること、および、分割面２１０，３１０に錆が発生することを防止できる物であれば特に限定されず、たとえば、ゴム製または樹脂製の防塵カバーを用いることができる。
【００２９】
次に、図８，１０に示すように、第１上部タンク２００の分割面２１０に繋がっている天井部１１１の内壁部２２０に、封止材であるガスケット５００を介して、分割されていない側壁部１１４に対向する第１輸送カバー６００を取付ける。また、第２上部タンク３００の分割面３１０に繋がっている天井部１１１の内壁部３２０に、封止材であるガスケット５１０を介して、分割されていない側壁部１１５に対向する第１輸送カバー６１０を取付ける（Ｓ１１０）。
【００３０】
図１０に示すように、本実施形態においては、第１輸送カバー６００，６１０は、断面形状が略Ｌ字状であり、図の紙面の手前側から奥側に延在するように形成されている。第１輸送カバー６００には、断面Ｌ字状の短手部分に貫通孔６０１が形成され、長手部分に雌ねじ部６０２が形成されている。同様に、第１輸送カバー６１０には、断面Ｌ字状の短手部分に貫通孔６１１が形成され、長手部分に雌ねじ部６１２が形成されている。本実施形態においては、第１輸送カバー６００，６１０を、鉄板を曲げ加工することにより形成したが、第１輸送カバー６００，６１０の材料は鉄板に限られず、所定の強度を有する金属製または樹脂製の材料を用いることができる。
【００３１】
ガスケット５００，５１０は、断面形状が矩形状であり、図の紙面の手前側から奥側に延在するように形成されている。ガスケット５００には、第１輸送カバー６００の貫通孔６０１に対応する位置に貫通孔５０１が形成されている。同様に、ガスケット５１０には、第１輸送カバー６１０の貫通孔６１１に対応する位置に貫通孔５１１が形成されている。
【００３２】
第１輸送カバー６００は、雄ねじ７００を第１輸送カバー６００の貫通孔６０１およびガスケット５００の貫通孔５０１を通して第１上部タンク２００の第１雌ねじ部２４０に締結することにより、第１上部タンク２００に取付けられる。
【００３３】
本実施形態においては、第１輸送カバー６００の分割されていない側壁部１１４に対向する面とは反対側の面６０３が、分割面２１０と略同一平面上となるように第１輸送カバー６００を取付ける。
【００３４】
第１輸送カバー６１０は、雄ねじ７１０を第１輸送カバー６１０の貫通孔６１１およびガスケット５１０の貫通孔５１１を通して第２上部タンク３００の第１雌ねじ部３４０に締結することにより、第２上部タンク３００に取付けられる。
【００３５】
本実施形態においては、第１輸送カバー６１０の分割されていない側壁部１１５に対向する面とは反対側の面６１３が、分割面３１０と略同一平面上となるように第１輸送カバー６１０を取付ける。
【００３６】
次に、図８，１１に示すように、第１上部タンク２００の側壁部１１４の下面２３０に、封止材であるガスケット５２０を介して、天井部１１１に対向する第２輸送カバー８００を取付ける。また、第２上部タンク３００の側壁部１１５の下面３３０に、封止材であるガスケット５３０を介して、天井部１１１に対向する第２輸送カバー８１０を取付ける（Ｓ１２０）。
【００３７】
図１１に示すように、本実施形態においては、第２輸送カバー８００，８１０は、断面形状が略Ｌ字状であり、図の紙面の手前側から奥側に延在するように形成されている。第２輸送カバー８００には、断面Ｌ字状の長手部分に貫通孔８０１が形成され、短手部分に貫通孔８０２が形成されている。同様に、第２輸送カバー８１０には、断面Ｌ字状の長手部分に貫通孔８１１が形成され、短手部分に貫通孔８１２が形成されている。本実施形態においては、第２輸送カバー８００，８１０を、鉄板を曲げ加工することにより形成したが、第２輸送カバー８００，８１０の材料は鉄板に限られず、所定の強度を有する金属製または樹脂製の材料を用いることができる。
【００３８】
ガスケット５２０，５３０は、断面形状が略Ｌ字状であり、図の紙面の手前側から奥側に延在するように形成されている。ガスケット５２０には、断面Ｌ字状の長手部分における第２輸送カバー８００の貫通孔８０１に対応する位置に貫通孔５２１が形成され、短手部分における第２輸送カバー８００の貫通孔８０２に対応する位置に貫通孔５２２が形成されている。同様に、ガスケット５３０には、断面Ｌ字状の長手部分における第２輸送カバー８１０の貫通孔８１１に対応する位置に貫通孔５３１が形成され、短手部分における第２輸送カバー８１０の貫通孔８１２に対応する位置に貫通孔５３２が形成されている。
【００３９】
第２輸送カバー８００は、雄ねじ７２０を第２輸送カバー８００の貫通孔８０１およびガスケット５２０の貫通孔５２１を通して第１上部タンク２００の第２雌ねじ部２５０に締結することにより、第１上部タンク２００に取付けられる。
【００４０】
また、第２輸送カバー８００は、雄ねじ７４０を第２輸送カバー８００の貫通孔８０２およびガスケット５２０の貫通孔５２２を通して第１輸送カバー６００の雌ねじ部６０２に締結することにより、第１輸送カバー６００と連結されている。
【００４１】
第２輸送カバー８１０は、雄ねじ７３０を第２輸送カバー８１０の貫通孔８１１およびガスケット５３０の貫通孔５３１を通して第２上部タンク３００の第２雌ねじ部３５０に締結することにより、第２上部タンク３００に取付けられる。
【００４２】
また、第２輸送カバー８１０は、雄ねじ７５０を第２輸送カバー８１０の貫通孔８１２およびガスケット５３０の貫通孔５３２を通して第１輸送カバー６１０の雌ねじ部６１２に締結することにより、第１輸送カバー６１０と連結されている。
【００４３】
第１上部タンク２００に第１輸送カバー６００および第２輸送カバー８００が取付けられることにより、第１上部タンク２００の内側に、密封された閉空間９００が形成される。第２上部タンク３００に第１輸送カバー６１０および第２輸送カバー８１０が取付けられることにより、第２上部タンク３００の内側に、密封された閉空間９１０が形成される。なお、図２に示すように、上部タンク１１０には複数の開口部が存在するが、これらの開口部は図示しない閉鎖部材により閉鎖されている。
【００４４】
図８に示すように、次に、第１上部タンク２００および第２上部タンク３００を分割輸送変圧器の据付場所に輸送する（Ｓ１３０）。具体的には、第１上部タンク２００を、天井部１１１、側壁部１１２，１１３，１１４、第１輸送カバー６００および第２輸送カバー８００によって形成された閉空間９００を密封した状態で輸送する。同様に、第２上部タンク３００を、天井部１１１、側壁部１１２，１１３，１１５、第１輸送カバー６１０および第２輸送カバー８１０によって形成された閉空間９１０を密封した状態で輸送する。
【００４５】
次に、図８に示すように、第１上部タンク２００から防塵カバー４００を取り外す。また、第２上部タンク３００から防塵カバー４１０を取り外す（Ｓ１４０）。この防塵カバー４００，４１０を取り外す工程は、次の接合工程の直前に行なうことが好ましい。そのようにすることにより、分割面２１０，３１０に異物等が付着することを効果的に抑制することができる。
【００４６】
次に、図８，１２に示すように、第１上部タンク２００の分割面２１０と第２上部タンク３００の分割面３１０とを密着させた状態で第１上部タンク２００と第２上部タンク３００とを接合する（Ｓ１５０）。具体的には、第１上部タンク２００の分割面２１０の一部と、第２上部タンク３００の分割面３１０に隣接した、天井部１１１および側壁部１１２，１１３の一部とを接合部材１０００により接合する。
【００４７】
本実施形態においては、溶接により第１上部タンク２００と第２上部タンク３００とを接合するが、溶接工程は上記の通り、分割輸送変圧器の組立場所に設置されたクリーンルームの外において行なう。なお、接合方法は溶接に限られず、一般的な構造物を接合する他の接合方法でもよい。
【００４８】
次に、図８に示すように、互いに接合された第１上部タンク２００および第２上部タンク３００をクリーンルーム内に搬送する（Ｓ１６０）。このとき、クリーンルーム内に溶接のスパッタなどが侵入しないように、第１上部タンク２００および第２上部タンク３００の外表面に付着している異物を除去しておく。
【００４９】
次に、図８，１３に示すように、クリーンルーム１０１０内において、第１上部タンク２００および第２上部タンク３００の各々から、第１輸送カバー６００，６１０および第２輸送カバー８００，８１０を取り外す（Ｓ１７０）。
【００５０】
具体的には、まず、雄ねじ７４０と雄ねじ７５０とを外すことにより、第１輸送カバー６００と第２輸送カバー８００との連結および第１輸送カバー６１０と第２輸送カバー８１０との連結を解除する。その後、雄ねじ７２０と雄ねじ７３０とを外すことにより、第１上部タンク２００から第２輸送カバー８００を取り外し、第２上部タンク３００から第２輸送カバー８１０を取り外す。さらに、雄ねじ７００と雄ねじ７１０とを外すことにより、第１上部タンク２００から第１輸送カバー６００を取り外し、第２上部タンク３００から第１輸送カバー６１０を取り外す。
【００５１】
このように、第１輸送カバー６００，６１０および第２輸送カバー８００，８１０をクリーンルーム１０１０内において取り外すことにより、密封されていた閉空間９００，９１０は、クリーンルーム１０１０内において開放されることになる。その結果、上部タンク１１０の内側が外気に曝されることなく、上部タンク１１０が輸送および組立されるため、上部タンク１１０の内側の清浄度を維持することができる。
【００５２】
上記のように、本実施形態においては、第１輸送カバー６００の分割されていない側壁部１１４に対向する面とは反対側の面６０３が、分割面２１０と略同一平面上となるように第１輸送カバー６００が取付けられている。また、第１輸送カバー６１０の分割されていない側壁部１１５に対向する面とは反対側の面６１３が、分割面３１０と略同一平面上となるように第１輸送カバー６１０が取付けられている。その結果、上部タンク１１０の内側の略全体を閉空間９００，９１０で密封することができるため、上部タンク１１０の内側の清浄度を高く維持することができる。
【００５３】
また、本実施形態においては、第１輸送カバー６００，６１０を締結するための第１雌ねじ部２４０，３４０、および、第２輸送カバー８００，８１０を締結するための第２雌ねじ部２５０，３５０が貫通していない袋状に形成されている。その結果、上部タンク１１０の内側の閉空間９００，９１０を高い気密状態で密封することができるため、上部タンク１１０の内側の清浄度を高く維持することができる。さらに、分割輸送変圧器１００を組立た後に、第１雌ねじ部２４０，３４０を塞ぐ必要がないため、分割輸送変圧器１００の組立工数を削減することができる。
【００５４】
上記のように、分割された上部タンク１１０を清浄な状態を維持して輸送組立して、分割輸送変圧器１００を製造することにより、分割輸送変圧器１００の性能を安定させることができる。また、相毎に上部タンクを分割していないため、上部タンク１１０の大きさを小さくすることができ、分割輸送変圧器１００の小型化を図れる。なお、本実施形態においては、防塵カバー４００，４１０を用いたが、他の方法で分割面２１０，３１０の清浄度を維持することができる場合には、防塵カバー４００，４１０を用いなくてもよい。
【００５５】
以下、本発明の実施形態２に係る分割輸送変圧器における上部タンクの輸送組立方法および分割輸送変圧器について図面を参照して説明する。
（実施形態２）
実施形態２に係る分割輸送変圧器における上部タンクの輸送組立方法も、図８に示す実施形態１に係る分割輸送変圧器における上部タンクの輸送組立方法の工程と同様である。ただし、上部タンク１１０の形状が実施形態１とは異なり、それに対応して、防塵カバーおよび第１輸送カバーの取付方法が実施形態１とは異なる。以下の実施形態２の説明においては、実施形態１と異なる部分のみ説明し、実施形態１と同様である部分については説明を繰り返さない。
【００５６】
図１４は、本発明の実施形態２に係る上部タンクの分割された状態を図２のＸＩＶ−ＸＩＶ線矢印方向から見た断面図である。図１４に示すように、上部タンク１１０は、第１上部タンク１２００と第２上部タンク１３００とに分割された状態で輸送される。
【００５７】
第１上部タンク１２００は、天井部１１１および側壁部１１２，１１３に連続した分割面１２１０を有している。分割面１２１０の一部は上部タンク１１０の内側に突出しており、分割面１２１０に隣接する突出内壁面１２６０および分割面１２１０に対向する対向面１２７０が形成されている。突出内壁面１２６０および対向面１２７０は、天井部１１１の内壁部１２２０に含まれる。
【００５８】
第１上部タンク１２００は、対向面１２７０に袋状の第１雌ねじ部１２４０を有している。さらに、第１上部タンク１２００は、側壁部１１４の下面１２３０に第２雌ねじ部１２５０を有している。
【００５９】
第２上部タンク１３００は、天井部１１１および側壁部１１２，１１３に連続した分割面１３１０を有している。分割面１３１０の一部は上部タンク１１０の内側に突出しており、分割面１３１０に隣接する突出内壁面１３６０および分割面１３１０に対向する対向面１３７０が形成されている。突出内壁面１３６０および対向面１３７０は、天井部１１１の内壁部１３２０に含まれる。
【００６０】
第２上部タンク１３００は、対向面１３７０に袋状の第１雌ねじ部１３４０を有している。さらに、第２上部タンク１３００は、側壁部１１５の下面１３３０に第２雌ねじ部１３５０を有している。
【００６１】
以下、本実施形態に係る、分解された上部タンク１１０の輸送組立方法について説明する。
【００６２】
図１５は、本実施形態において、第１上部タンクおよび第２上部タンクに防塵カバーを配置した状態を示す断面図である。図１６は、本実施形態において、第１上部タンクおよび第２上部タンクに第１輸送カバーを取付けた状態を示す断面図である。図１７は、本実施形態において、第１上部タンクおよび第２上部タンクに第２輸送カバーを取付けた状態を示す断面図である。図１８は、本実施形態において、第１上部タンクと第２上部タンクとを接合した状態を示す断面図である。図１９は、本実施形態において、クリーンルーム内で第１上部タンクおよび第２上部タンクから第１輸送カバーおよび第２輸送カバーを取り外した状態を示す断面図である。
【００６３】
図８および図１５に示すように、本実施形態に係る、分割輸送変圧器における上部タンクの輸送組立方法においては、まず、第１上部タンク１２００の分割面１２１０および突出内壁面１２６０を覆うように防塵カバー１４００を配置し、また、第２上部タンク１３００の分割面１３１０および突出内壁面１３６０を覆うように防塵カバー１４１０を配置する（Ｓ１００）。
【００６４】
本実施形態においては、後述する第１輸送カバーを取付けた際に突出内壁面１２６０，１３６０が第１輸送カバーにより覆われない。そのため、防塵カバー１４００，１４１０により突出内壁面１２６０，１３６０を覆うことにより、突出内壁面１２６０，１３６０を保護する。
【００６５】
次に、図８，１６に示すように、第１上部タンク１２００の分割面１２１０に繋がっている天井部１１１の内壁部１２２０に、分割されていない側壁部１１４に対向する第１輸送カバー１６００を取付ける。また、第２上部タンク１３００の分割面１３１０に繋がっている天井部１１１の内壁部１３２０に、分割されていない側壁部１１５に対向する第１輸送カバー１６１０を取付ける（Ｓ１１０）。
【００６６】
図１６に示すように、本実施形態においては、第１輸送カバー１６００，１６１０は、平板状であり、図の紙面の手前側から奥側に延在するように形成されている。第１輸送カバー１６００には、一方の端部に貫通孔１６０１が形成され、他方の端部に雌ねじ部１６０２が形成されている。同様に、第１輸送カバー１６１０には、一方の端部に貫通孔１６１１が形成され、他方の端部に雌ねじ部１６１２が形成されている。本実施形態においては、第１輸送カバー１６００，１６１０を鉄板に孔明け加工することにより形成したが、第１輸送カバー１６００，１６１０の材料は鉄板に限られず、所定の強度を有する金属製または樹脂製の材料を用いることができる。
【００６７】
本実施形態においても、封止材であるガスケット１５００を介して、第１輸送カバー１６００を第１上部タンク１２００に取付ける。同様に、封止材であるガスケット１５１０を介して、第１輸送カバー１６１０を第２上部タンク１３００に取付ける。
【００６８】
ガスケット１５００，１５１０は、断面形状が矩形状であり、図の紙面の手前側から奥側に延在するように形成されている。ガスケット１５００には、第１輸送カバー１６００の貫通孔１６０１に対応する位置に貫通孔１５０１が形成されている。同様に、ガスケット１５１０には、第１輸送カバー１６１０の貫通孔１６１１に対応する位置に貫通孔１５１１が形成されている。
【００６９】
第１輸送カバー１６００は、雄ねじ１７００を第１輸送カバー１６００の貫通孔１６０１およびガスケット１５００の貫通孔１５０１を通して第１上部タンク１２００の第１雌ねじ部１２４０に締結することにより、第１上部タンク１２００に取付けられる。
【００７０】
第１輸送カバー１６１０は、雄ねじ１７１０を第１輸送カバー１６１０の貫通孔１６１１およびガスケット１５１０の貫通孔１５１１を通して第２上部タンク１３００の第１雌ねじ部１３４０に締結することにより、第２上部タンク１３００に取付けられる。
【００７１】
次に、図８，１７に示すように、第１上部タンク１２００の側壁部１１４の下面１２３０に、封止材であるガスケット１５２０を介して、天井部１１１に対向する第２輸送カバー１８００を取付ける。また、第２上部タンク１３００の側壁部１１５の下面１３３０に、封止材であるガスケット１５３０を介して、天井部１１１に対向する第２輸送カバー１８１０を取付ける（Ｓ１２０）。
【００７２】
図１７に示すように、本実施形態においては、第２輸送カバー１８００，１８１０は、断面形状が略Ｌ字状であり、図の紙面の手前側から奥側に延在するように形成されている。第２輸送カバー１８００には、断面Ｌ字状の長手部分に貫通孔１８０１が形成され、短手部分に貫通孔１８０２が形成されている。同様に、第２輸送カバー１８１０には、断面Ｌ字状の長手部分に貫通孔１８１１が形成され、短手部分に貫通孔１８１２が形成されている。本実施形態においては、第２輸送カバー１８００，１８１０を、鉄板を曲げ加工することにより形成したが、第２輸送カバー１８００，１８１０の材料は鉄板に限られず、所定の強度を有する金属製または樹脂製の材料を用いることができる。
【００７３】
ガスケット１５２０，１５３０は、断面形状が略Ｌ字状であり、図の紙面の手前側から奥側に延在するように形成されている。ガスケット１５２０には、断面Ｌ字状の長手部分における第２輸送カバー１８００の貫通孔１８０１に対応する位置に貫通孔１５２１が形成され、短手部分における第２輸送カバー１８００の貫通孔１８０２に対応する位置に貫通孔１５２２が形成されている。同様に、ガスケット１５３０には、断面Ｌ字状の長手部分における第２輸送カバー１８１０の貫通孔１８１１に対応する位置に貫通孔１５３１が形成され、短手部分における第２輸送カバー１８１０の貫通孔１８１２に対応する位置に貫通孔１５３２が形成されている。
【００７４】
第２輸送カバー１８００は、雄ねじ１７２０を第２輸送カバー１８００の貫通孔１８０１およびガスケット１５２０の貫通孔１５２１を通して第１上部タンク１２００の第２雌ねじ部１２５０に締結することにより、第１上部タンク１２００に取付けられる。
【００７５】
また、第２輸送カバー１８００は、雄ねじ１７４０を第２輸送カバー１８００の貫通孔１８０２およびガスケット１５２０の貫通孔１５２２を通して第１輸送カバー１６００の雌ねじ部１６０２に締結することにより、第１輸送カバー１６００と連結されている。
【００７６】
第２輸送カバー１８１０は、雄ねじ１７３０を第２輸送カバー１８１０の貫通孔１８１１およびガスケット１５３０の貫通孔１５３１を通して第２上部タンク１３００の第２雌ねじ部１３５０に締結することにより、第２上部タンク１３００に取付けられる。
【００７７】
また、第２輸送カバー１８１０は、雄ねじ１７５０を第２輸送カバー１８１０の貫通孔１８１２およびガスケット１５３０の貫通孔１５３２を通して第１輸送カバー１６１０の雌ねじ部１６１２に締結することにより、第１輸送カバー１６１０と連結されている。
【００７８】
第１上部タンク１２００に第１輸送カバー１６００および第２輸送カバー１８００が取付けられることにより、第１上部タンク１２００の内側に、密封された閉空間１９００が形成される。第２上部タンク１３００に第１輸送カバー１６１０および第２輸送カバー１８１０が取付けられることにより、第２上部タンク１３００の内側に、密封された閉空間１９１０が形成される。なお、図２に示すように、上部タンク１１０には複数の開口部が存在するが、これらの開口部は図示しない閉鎖部材により閉鎖されている。
【００７９】
図８に示すように、次に、第１上部タンク１２００および第２上部タンク１３００を分割輸送変圧器の据付場所に輸送する（Ｓ１３０）。具体的には、第１上部タンク１２００を、天井部１１１、側壁部１１２，１１３，１１４、第１輸送カバー１６００および第２輸送カバー１８００によって形成された閉空間１９００を密封した状態で輸送する。同様に、第２上部タンク１３００を、天井部１１１、側壁部１１２，１１３，１１５、第１輸送カバー１６１０および第２輸送カバー１８１０によって形成された閉空間１９１０を密封した状態で輸送する。
【００８０】
次に、図８に示すように、第１上部タンク１２００から防塵カバー１４００を取り外す。また、第２上部タンク１３００から防塵カバー１４１０を取り外す（Ｓ１４０）。この防塵カバー１４００，１４１０を取り外す工程は、次の接合工程の直前に行なうことが好ましい。そのようにすることにより、分割面１２１０，１３１０および突出内壁面１２６０，１３６０に異物等が付着することを効果的に抑制することができる。
【００８１】
次に、図８，１８に示すように、第１上部タンク１２００の分割面１２１０と第２上部タンク１３００の分割面１３１０とを密着させた状態で第１上部タンク１２００と第２上部タンク１３００とを接合する（Ｓ１５０）。具体的には、第１上部タンク１２００の分割面１２１０の一部と、第２上部タンク１３００の分割面１３１０に隣接した、天井部１１１および側壁部１１２，１１３の一部とを接合部材１０００により接合する。
【００８２】
本実施形態においては、溶接により第１上部タンク１２００と第２上部タンク１３００とを接合するが、溶接工程は上記の通り、分割輸送変圧器の組立場所に設置されたクリーンルームの外において行なう。なお、接合方法は溶接に限られず、一般的な構造物を接合する他の接合方法でもよい。
【００８３】
次に、図８に示すように、互いに接合された第１上部タンク１２００および第２上部タンク１３００をクリーンルーム内に搬送する（Ｓ１６０）。このとき、クリーンルーム内に溶接のスパッタなどが侵入しないように、第１上部タンク１２００および第２上部タンク１３００の外表面に付着している異物を除去しておく。
【００８４】
次に、図８，１９に示すように、クリーンルーム１０１０内において、第１上部タンク１２００および第２上部タンク１３００の各々から、第１輸送カバー１６００，１６１０および第２輸送カバー１８００，１８１０を取り外す（Ｓ１７０）。
【００８５】
具体的には、まず、雄ねじ１７４０と雄ねじ１７５０とを外すことにより、第１輸送カバー１６００と第２輸送カバー１８００との連結および第１輸送カバー１６１０と第２輸送カバー１８１０との連結を解除する。その後、雄ねじ１７２０と雄ねじ１７３０とを外すことにより、第１上部タンク１２００から第２輸送カバー１８００を取り外し、第２上部タンク１３００から第２輸送カバー１８１０を取り外す。さらに、雄ねじ１７００と雄ねじ１７１０とを外すことにより、第１上部タンク１２００から第１輸送カバー１６００を取り外し、第２上部タンク１３００から第１輸送カバー１６１０を取り外す。
【００８６】
このように、第１輸送カバー１６００，１６１０および第２輸送カバー１８００，１８１０をクリーンルーム１０１０内において取り外すことにより、密封されていた閉空間１９００，１９１０は、クリーンルーム１０１０内において開放されることになる。その結果、上部タンク１１０の内側が外気に曝されることなく、上部タンク１１０が輸送および組立されるため、上部タンク１１０の内側の清浄度を維持することができる。
【００８７】
本実施形態においても、分割された上部タンク１１０を清浄な状態を維持して輸送組立して、分割輸送変圧器１００を製造することにより、分割輸送変圧器１００の性能を安定させることができる。
【００８８】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００８９】
１００  分割輸送変圧器、１１０  上部タンク、１１１  天井部、１１２，１１３，１１４，１１５  側壁部、１２０  中部タンク、１３０  下部タンク、１４０  タンク、２００，１２００  第１上部タンク、２１０，３１０，１２１０，１３１０  分割面、２２０，３２０，１２２０，１３２０  内壁部、２３０，３３０，１２３０，１３３０  下面、２４０，３４０，１２４０，１３４０  第１雌ねじ部、２５０，３５０，１２５０，１３５０  第２雌ねじ部、３００，１３００  第２上部タンク、４００，４１０，１４００，１４１０  防塵カバー、５００，５１０，５２０，５３０，１５００，１５１０，１５２０，１５３０  ガスケット、５０１，５１１，５２１，５２２，５３１，５３２，６０１，６１１，８０１，８０２，８１１，８１２，１５０１，１５１１，１５２１，１５２２，１５３１，１５３２，１６０１，１６１１，１８０１，１８０２，１８１１，１８１２  貫通孔、６００，６１０，１６００，１６１０  第１輸送カバー、６０２，６１２，１６０２，１６１２  雌ねじ部、７００，７１０，７２０，７３０，７４０，７５０，１７００，１７１０，１７２０，１７３０，１７４０，１７５０  雄ねじ、８００，８１０，１８００，１８１０  第２輸送カバー、９００，９１０，１９００，１９１０  閉空間、１０００  接合部材、１０１０  クリーンルーム、１２６０，１３６０  突出内壁面、１２７０，１３７０  対向面。
【図１】
2012104777.tif 000003
【図２】
2012104777.tif 000004
【図３】
2012104777.tif 000005
【図４】
2012104777.tif 000006
【図５】
2012104777.tif 000007
【図６】
2012104777.tif 000008
【図７】
2012104777.tif 000009
【図８】
2012104777.tif 000010
【図９】
2012104777.tif 000011
【図１０】
2012104777.tif 000012
【図１１】
2012104777.tif 000013
【図１２】
2012104777.tif 000014
【図１３】
2012104777.tif 000015
【図１４】
2012104777.tif 000016
【図１５】
2012104777.tif 000017
【図１６】
2012104777.tif 000018
【図１７】
2012104777.tif 000019
【図１８】
2012104777.tif 000020
【図１９】
2012104777.tif 000021